(57)【要約】【課題】  従来、表示パネルにおける焼付きの防止或いは取り除きは、十分なものとはいえなかった。【解決手段】  以前に表示された第１画像の映像信号を記憶する映像信号記憶部５０８と、前記第１画像における明るい表示領域の周辺領域を検出する領域検出部５０４と、前記検出された領域に対する輝度補正を行って前記画像表示装置に表示する第２画像を生成する画像生成部５０６，５０７と、を備えるように構成する。【選択図】      図２１
2005164939.tif 000002
【特許請求の範囲】
【請求項１】
以前に入力された映像信号に応じて画像表示装置に表示した第１画像を記憶する第１画像記憶段階と、
前記第１画像における明るい表示領域の周辺領域を検出する領域検出段階と、
前記検出された領域に対する輝度補正を行って前記画像表示装置に第２画像を表示する第２画像表示段階と、を備えることを特徴とする画像表示装置の駆動方法。
【請求項２】
請求項１に記載の画像表示装置の駆動方法において、
前記領域検出段階は、前記明るい表示領域の周辺部と共に当該明るい表示領域も検出し、且つ、
前記第２画像表示段階は、前記明るい表示領域の周辺部と共に当該明るい表示領域に対しても輝度補正を行って前記画像表示装置に前記第２画像を表示することを特徴とする画像表示装置の駆動方法。
【請求項３】
請求項１項に記載の画像表示装置の駆動方法において、前記第２画像表示段階は、前記輝度補正を行う領域に対して、予め設定された少なくとも１つの画像パターンと重畳して前記第２画像の表示を行うことを特徴とする画像表示装置の駆動方法。
【請求項４】
請求項１に記載の画像表示装置の駆動方法において、前記第２画像表示段階は、さらに、前記以前に入力された映像信号に応じて表示した第１画像と、後に入力される映像信号に応じて表示される画像とを比較判別して前記第２画像の表示を行うことを特徴とする画像表示装置の駆動方法。
【請求項５】
請求項１に記載の画像表示装置の駆動方法において、前記第２画像表示段階は、前記第１画像の輝度分布に基づいて前記第２画像の表示を行うことを特徴とする画像表示装置の駆動方法。
【請求項６】
請求項１に記載の画像表示装置の駆動方法において、前記第２画像表示段階は、前記第１画像の表示時間に基づいて前記第２画像の表示を行うことを特徴とする画像表示装置の駆動方法。
【請求項７】
請求項１に記載の画像表示装置の駆動方法において、さらに、
前記画像表示装置に表示された画像を積算する映像信号積算段階と、
該積算された積算映像信号を記録保持する記録保持段階と、を備え、前記第２画像表示段階は、前記記録された積算映像信号を用いて前記第２画像の表示を行うことを特徴とする画像表示装置の駆動方法。
【請求項８】
請求項１に記載の画像表示装置の駆動方法において、さらに、
前記画像表示装置の画面において、所定の時間且つ所定の明るさで固定表示された部分を検出する焼付き検出段階を備え、前記第２画像表示段階は、前記検出された所定の時間且つ所定の明るさで固定表示された部分の情報を用いて前記第２画像の表示を行うことを特徴とする画像表示装置の駆動方法。
【請求項９】
請求項８に記載の画像表示装置の駆動方法において、前記第２画像表示段階は、前記検出された所定の時間且つ所定の明るさで固定表示された部分が、暗い明るさの画像を表示するタイミングで前記第２画像の表示を行うことを特徴とする画像表示装置の駆動方法。
【請求項１０】
以前に表示された第１画像の映像信号を記憶する映像信号記憶部と、
前記第１画像における明るい表示領域の周辺領域を検出する領域検出部と、
前記検出された領域に対する輝度補正を行って前記画像表示装置に表示する第２画像を生成する第２画像生成部と、を備えることを特徴とする画像表示装置。
【請求項１１】
請求項１０に記載の画像表示装置において、
前記領域検出部は、前記明るい表示領域の周辺部と共に当該明るい表示領域も検出し、且つ、
前記第２画像生成部は、前記明るい表示領域の周辺部と共に当該明るい表示領域に対しても輝度補正を行って前記第２画像を生成することを特徴とする画像表示装置。
【請求項１２】
請求項１０に記載の画像表示装置において、さらに、予め設定された少なくとも１つの画像パターンを記憶する画像パターン記憶部を備え、前記第２画像生成部は、前記輝度補正を行う領域に対して、前記画像パターン記憶部に記憶された画像パターンとの重畳を行って前記第２画像を生成することを特徴とする画像表示装置。
【請求項１３】
請求項１０に記載の画像表示装置において、さらに、前記第２画像を表示する時間幅を制御するためのタイマーを備えることを特徴とする画像表示装置。
【請求項１４】
請求項１０に記載の画像表示装置において、さらに、前記第２画像を表示する時間幅を外部から制御するためのスイッチを備えることを特徴とする画像表示装置。
【発明の詳細な説明】
【技術分野】
【０００１】
本発明は、画像表示装置およびその駆動方法に関し、特に、プラズマディスプレイパネル（ＰＤＰ：Plasma Display Panel）を駆動するのに適した画像表示装置およびその駆動方法に関する。
【０００２】
近年、平面型の画像表示装置として面放電を行う交流型プラズマディスプレイ装置が実用化され、パーソナルコンピュータやワークステーション等の画像表示装置、平面型の壁掛けテレビジョン、或いは、広告や情報等を表示するための装置として広く使用されて来ている。ところで、例えば、プラズマディスプレイ装置において、特定の固定画像を長時間表示すると、表示の見え方等に関わらず以前の表示状態が何らかの形で見える焼付き現象が生じる。そこで、表示パネルの焼付きを有効に除くことのできる画像表示装置およびその駆動方法の提供が要望されている。
【背景技術】
【０００３】
従来、平面型の画像表示装置として面放電を行うプラズマディスプレイ装置が実用化され、画面上の全画素を表示データに応じて同時に発光させるようになっている。面放電を行うプラズマディスプレイ装置は、前面ガラス基板の内面に１対の電極が形成され、内部に希ガスが封入された構造となっている。電極間に電圧を印加すると、電極面上に形成された誘電体層および保護層の表面で面放電が起こり、紫外線が発生する。背面ガラス基板の内面には、３原色である赤色（Ｒ）、緑色（Ｇ）および青色（Ｂ）の蛍光体が塗布されており、紫外線によりこれらの蛍光体を励起発光させることによってカラー表示を行うようになっている。
【０００４】
図１はプラズマディスプレイパネルの一例を模式的に示す図であり、三電極面放電ＡＣ型プラズマディスプレイパネルを示すものである。
【０００５】
図１において、参照符号１０はプラズマディスプレイパネル（ＰＤＰ）、１１は前面側の基板、１２はＸ電極用の透明電極、１３はＸ電極用のバス電極、１４はＹ電極用の透明電極、１５はＹ電極用のバス電極、１６は背面側の基板、１７はアドレス電極、１８は隔壁（リブ）、そして、１９Ｒ，１９Ｇ，１９Ｂは蛍光体層を示している。なお、実際のＰＤＰ１０は、Ｘ電極およびＹ電極上に誘電体層並びに保護膜が設けられ、また、アドレス電極上に誘電体層が設けられている。さらに、Ｘ電極（１２，１３）およびＹ電極（１４，１５）が設けられた前面側の基板１１とアドレス電極１７が設けられた背面側の基板１６との間には、ネオンとキセノンの混合ガスなどの放電ガスが充填され、Ｘ電極およびＹ電極とアドレス電極との交差部の放電空間が１つの放電セルを構成することになる。
【０００６】
なお、ＰＤＰ１０の構造は、従来例でも本発明に係る画像表示装置の表示パネルでも同様である。なお、本発明は、ＰＤＰ１０以外にも後述するような白表示部の周辺部で大きな焼付き現象を生じる他の様々な表示パネルを備えた画像表示装置に対しても幅広く適用することが可能である。
【０００７】
図２はプラズマディスプレイ装置における階調駆動シーケンスの一例を示す図である。
【０００８】
図２に示されるように、プラズマディスプレイ装置における階調駆動シーケンスは、１フィールド（フレーム）をそれぞれ所定の輝度の重みを有する複数のサブフィールド（サブフレーム）ＳＦ１〜ＳＦｎで構成し、各サブフィールドの組み合わせにより所望の階調表示を行うようになっている。具体的に、複数のサブフィールドとしては、例えば、２の巾乗の輝度重みを有する８つのサブフィールドＳＦ１〜ＳＦ８（維持放電の回数の比が１：２：４：８：１６：３２：６４：１２８）により２５６階調の表示を行うようになっている。
【０００９】
図３は従来のプラズマディスプレイ装置の駆動方法を説明するための図である。
【００１０】
図２および図３に示されるように、各サブフィールド（例えば、ＳＦ１〜ＳＦ８）は、それぞれ表示領域における全てのセルの壁電荷を均一にする初期化過程（リセット期間）ＴＲ、点灯セルを選択するアドレス過程（アドレス期間）ＴＡ、および、選択されたセルを輝度に応じた回数だけ放電（点灯）させる表示過程（維持放電期間）ＴＳで構成され、各サブフィールドの表示毎に輝度に応じてセルを点灯させ、例えば、８つのサブフィールド（ＳＦ１〜ＳＦ８）を表示することで１フィールドの表示を行うようになっている。
【００１１】
すなわち、初期化過程ＴＲのパルスＰ１において、先ず、セルに壁電荷を書き込む。次に、初期化過程ＴＲのパルス２において、壁電荷を消去しながら壁電圧を調整する。さらに、続くアドレス過程ＴＡにおいて、Ｙ電極（１４，１５）に対して順次スキャンパルスを印加し、同時に、表示データに基づいて点灯させるべきセルに対してアドレスパルスを印加してアドレス放電を起こし、壁電荷を蓄積する。
【００１２】
そして、続く表示過程ＴＳにおいて、Ｘ電極およびＹ電極（表示電極）に維持放電パルス（表示放電パルス）を印加して、アドレス放電により壁電荷が蓄積されていたセルのみ点灯する。この維持放電パルスの回数により、セルの輝度が制御される。
【００１３】
図４はプラズマディスプレイ装置の一例の全体構成を概略的に示すブロック図であり、例えば、前述した図１に示すようなＰＤＰ１０を使用したプラズマディスプレイ装置１００の一例を概略的に示すものである。
【００１４】
プラズマディスプレイ装置１００は、ＰＤＰ１０と、該ＰＤＰ１０の各セルを駆動するためのＸ側ドライバ３２，Ｙ側ドライバ３３およびアドレスドライバ３４と、これら各ドライバを制御する制御回路３１とを備えている。制御回路３１には、ＴＶチューナやコンピュータ等の外部装置からＲ，Ｇ，Ｂの３色の輝度レベルを示す多値画像データであるフィールドデータＤｆ、および、各種の同期信号（クロック信号ＣＬＫ，水平同期信号Ｈsync，垂直同期信号Ｖsync）が入力される。そして、制御回路３１は、上記フィールドデータＤｆおよび各種の同期信号からそれぞれのドライバ３２〜３４に適した制御信号を出力して所定の画像表示を行うようになっている。
【００１５】
Ｙ側ドライバ３３はＹ電極を制御するもので、スキャンドライバ３３１および共通ドライバ３３２を備え、また、Ｘ側ドライバ３２はＸ電極を制御するもので、共通ドライバ３２０を備えている。
【００１６】
なお、図４に示すプラズマディスプレイ装置は、単なる一例であり、後述する本発明は図４に示すようなプラズマディスプレイ装置以外にも様々な構成のプラズマディスプレイ装置に対して幅広く適用することができる。
【００１７】
ところで、例えば、ＰＤＰ１０において、同じ内容の表示が長く続くと、表示面の焼付き現象が生じる。この焼付き現象は、同じ内容の表示が長く続くと、表示内容が変わった後も、以前の表示内容がうっすらと残っているように見える現象である。このような表示の不具合は、固定表示時間が比較的短い場合には、セル状態の可逆的な乱れを原因とする一時的な現象に留まり、固定でない表示を続けるうちに徐々に解消する。しかしながら、固定表示時間が比較的長い場合には、表示面の焼付きとなってしまう。
【００１８】
従って、このような状況になる恐れがある用途に、ＰＤＰを用いる場合には、焼付き対策が必要である。一般的な対策としては、画面を暗くしたり、表示を休止したりするパワーセーブ、および、動画像を表示するスクリーンセーバがある。
【００１９】
具体的に、従来、ドットマトリックス方式による情報画像表示装置において、同一文字を長時間表示した場合の焼付きに対して、情報画像表示装置の全面または一部を所定の時間だけ点灯して焼付きを軽減し、さらに、各ドットをランダムに点灯して瞬間的な消費電力を低くなるようにした情報画像表示装置が提案されている（例えば、特許文献１参照）。
【００２０】
また、従来、表示器における同一個所が高輝度でかつ長時間点灯された場合に、表示器に印加される映像信号の極性を反転して焼付きを生じないようにした表示器の保護回路が提案されている（例えば、特許文献２参照）。
【００２１】
さらに、従来、液晶表示素子の焼付きを防止または回復させるのに有効なスクリーンセーバ機能として、バックライトを非点灯にすると共に、表示エリア内で全面白表示と全面黒表示を交互に行うようにした液晶画像表示装置も提案されている（例えば、特許文献３参照）。
【００２２】
また、従来、ＰＤＰにおける点灯時間の長い特定の表示ドットの輝度が低下する焼付き現象を防止するために、設定された時間間隔で検出した輝度データの表示ドット別の輝度積算値を生成し、この輝度積算値に対応する補正値により輝度データを表示ドット別に補正するようにしたプラズマディスプレイパネル輝度補正装置および方法が提案されている（例えば、特許文献４参照）。
【００２３】
さらに、従来、映像信号の画像アスペクト比の違いにより陰極線管の表示画面に焼付きの度合いが異なる領域が発生しても、表示画面に映し出される映像の表示品位の劣化を抑制する画像表示装置が提案されている。すなわち、この従来の画像表示装置は、画像出力面からの画像の輝度を検出し、この検出された輝度に基づいて画像出力面の各領域から出力させる画像の輝度を調節して当該各領域間の輝度差を補正することにより、画像出力面が焼付きによってその一部の領域の輝度性能が劣化しても、表示される画像上では輝度差による境界線の発生を低減するものである（例えば、特許文献５参照）。
【００２４】
また、従来、蛍光体を発光に利用している画像表示装置において、高輝度パターンを長時間表示することにより発生した焼付きを、簡単な補正手段を用いて目立たなくするものとして、発光輝度が低下した画素を検出してそのアドレスを記憶し、その発光輝度が低下したアドレス以外の画素の発光輝度を該発光輝度が低下した画素の発光輝度に合わせるものも提案されている（例えば、特許文献６参照）。
【００２５】
さらに、長時間特定の固定パターンを表示した後でも焼付きが目立たなくなるように、焼付き検出回路からの情報により次に入力される画面のプライミング波形を調整するものも提案されている（例えば、特許文献７参照）。すなわち、同じ内容の表示が長く続いた後に暗い画像を表示する場合には、自動的に初期化過程の駆動波形を調節し、発光輝度レベルを低減して全体的に背景輝度を下げて焼付きを目立たなくする技術が開示されている。
【００２６】
なお、本明細書では、表示の見え方等に関わらず、以前の表示状態が何らかの形で見える現象を、総称して焼付きと呼ぶことにする。
【００２７】
さらに、従来、市販されているプラズマディスプレイ装置において、焼付きや残像を低減するために、カラーリバース（表示画像の補色画像を自動作成して焼付きや残像を軽減する）、ピクセルシフト（画像の表示位置を自動的に動かし、焼付きや残像を軽減する）、および、ホワイトバック（内蔵のシグナルジェネレーターによって「全白画面」を表示して残像を短時間で取り除く）といったスクリーンセーバ機能を持たせることが知られている（例えば、非特許文献１〜３参照）。
【００２８】
【特許文献１】特開平０８−０３０２２６号公報
【特許文献２】特許第３３８９９５７号明細書（特開平０８−２１１８５８号公報）
【特許文献３】特開平０９−２５１１５３号公報
【特許文献４】特許第３２３０４９８号明細書（特開２０００−１３２１３９号公報）
【特許文献５】特開２００１−０４５３２７号公報
【特許文献６】特開２００１−１７５２２１号公報
【特許文献７】特開２００２−３６６０８４号公報
【非特許文献１】”ＨＩＴＡＣＨＩ：プラズマディスプレイシステム よくある質問”，２００３年、インターネット＜ＵＲＬ：http://www.hitachi.co.jp/Prod/pdp/faq/07.html＞
【非特許文献２】”業務用 ４２型 プラズマディスプレイ「ＧＤ−Ｖ４２１１ＰＺ」”，２０００年１１月１３日 報道発表、インターネット＜ＵＲＬ：http://www.jvc-victor.co.jp/products/pro/GD-V4211PZ.html＞
【非特許文献３】”松下電器産業株式会社”，２００３年、インターネット＜ＵＲＬ：http://www.matsushita.co.jp/corp/news/official.data/data.dir/jn010615-2/jn010615-2-2.html＞
【発明の開示】
【発明が解決しようとする課題】
【００２９】
上述したように、従来、例えば、プラズマディスプレイパネル（ＰＤＰ）の焼付きを低減し或いは目立たなくするために様々な提案がなされている。
【００３０】
しかしながら、前述した従来の画像表示装置およびその駆動方法においても、依然として表示パネルの焼付きが残存することがあり、さらなる表示パネルの焼付き対策が必要とされている。特に、後述するように、表示パネルに固定画像（白表示部）を長時間表示した後、表示パネル全体に黒表示を行った場合、白表示部の周辺部の輝度が固定表示をしていた白表示部に対応する部分の輝度よりもさらに高くなることがあり、このような白表示部の周辺部の焼付き現象（広い意味の焼付き現象）に対して、従来の画像表示装置は十分なものとはいえなかった。
【００３１】
本発明は、表示パネルの焼付きを有効に除くことのできる画像表示装置およびその駆動方法の提供を目的とする。
【課題を解決するための手段】
【００３２】
本発明の第１の形態によれば、以前に入力された映像信号に応じて画像表示装置に表示した第１画像を記憶する第１画像記憶段階と、前記第１画像における明るい表示領域の周辺領域を検出する領域検出段階と、前記検出された領域に対する輝度補正を行って前記画像表示装置に第２画像を表示する第２画像表示段階と、を備えることを特徴とする画像表示装置の駆動方法が提供される。
【００３３】
本発明の第２の形態によれば、以前に表示された第１画像の映像信号を記憶する映像信号記憶部と、前記第１画像における明るい表示領域の周辺領域を検出する領域検出部と、前記検出された領域に対する輝度補正を行って前記画像表示装置に表示する第２画像を生成する第２画像生成部と、を備えることを特徴とする画像表示装置が提供される。
【００３４】
前述したように、固定表示パターンの周辺部が明るくなる現象は、パネル内の化学反応によって生じると考えられ、例えば、従来技術のように黒表示時の輝度を表示面全体に渡って下げると、確かに焼付きは目立たなくなるが、決して無くなることはない。
【００３５】
ところが一方では、固定表示パターンの輝度レベル・表示時間から、明るくなる周辺部の範囲を予測できる場合には、画像処理を施せば、焼付きは視認できない程度にまで低減させることが可能である。
【００３６】
そこで、本発明は、以前に入力された映像信号に応じて画像表示装置に表示した第１画像を記憶し、第１画像における明るい表示領域の周辺領域を検出してその検出された領域に対する輝度補正を行って画像表示装置に第２画像を表示する。
【発明の効果】
【００３７】
本発明によれば、表示パネルの焼付き（明るい表示領域の周辺領域における広い意味の焼付き現象）を有効に除くことのできる画像表示装置およびその駆動方法を提供することができる。
【発明を実施するための最良の形態】
【００３８】
まず、本発明に係る画像表示装置およびその駆動方法の実施例を詳述する前に、本発明の原理構成を、図面を参照して詳述する。
【００３９】
図５はプラズマディスプレイパネルにおける白ウィンドウ固定表示の点灯状態を示す図である。
【００４０】
図５は、表示パネル（例えば、図４のＰＤＰ１０）に白ウィンドウ固定表示を行った場合、すなわち、ＰＤＰ１０の中央に矩形の白表示部（白表示領域：白ウィンドウ）Ｒ２を表示し、その他の領域を黒表示部（黒表示領域）Ｒ１として長時間の固定表示を行った場合を示している。
【００４１】
図６は図５に示す白ウィンドウ固定表示を行った後のプラズマディスプレイパネルにおける黒表示の点灯状態を示す図であり、図７は図６に示すプラズマディスプレイパネルのＡ−Ａ’線で切断した輝度レベル分布の一例を示す図である。
【００４２】
図６および図７に示されるように、本発明者は、表示パネル１０に固定画像（白表示部Ｒ２）を長時間表示した後、表示パネル１０全体に黒表示を行った場合、白表示部Ｒ２による焼付き現象（固定表示をしていた白表示部Ｒ２に対応する部分の輝度が高くなる現象）だけでなく、固定表示を行っていた白表示部Ｒ２の周辺部（周辺領域）Ｒ３の輝度が、固定表示をしていた白表示部Ｒ２に対応する部分の輝度よりもさらに高くなることを実験的に確認した。すなわち、白ウィンドウ固定表示の後に黒表示を行った場合、白ウィンドウ固定表示を行っていたときは黒表示部Ｒ１に含まれていた白表示部Ｒ２の周辺部Ｒ３の輝度が、固定表示をしていた白表示部Ｒ２に対応する部分の輝度よりもさらに高くなることが分かった。これは、従来から知られていた焼付き現象とは異なるものである。ただし、本明細書では、この周辺部Ｒ３の輝度が高くなる現象も広い意味の焼付き現象として説明する。
【００４３】
上述した表示パネルの一部に白ウィンドウ固定表示を行った後に表示パネル全体に黒表示を行った場合、白表示部（白ウィンドウ）Ｒ２の周辺部Ｒ３の輝度が白表示部Ｒ２よりも高くなるという現象（広い意味の焼付き現象）は、その根本原因は不明であるが、表示パネル内の残留不純物等が引き金となって、放電の際にパネル内表面に化合物を生成し、さらに、放電によってこの化合物が周囲に飛散するために生じると考えられる。なお、この現象は、ＰＤＰ１０においては明確に確認することができるが、有機ＥＬパネル等の他の画像表示装置においても生じ得るものである。
【００４４】
図８は図６に示すプラズマディスプレイパネルのＡ−Ａ’線で切断した輝度レベル分布の他の例を示す図である。
【００４５】
例えば、ＰＤＰ１０に封入されるガス、セル構造、或いは、駆動波形等が異なると、上述した図７に示すような輝度レベル分布は図８に示すような形状に変化することもある。すなわち、図７と図８との比較から明らかなように、表示パネルの構造や駆動方式が異なると、例えば、白表示部Ｒ２のエッジ部（エッジ領域）Ｒ４の輝度が、白表示部Ｒ２から離れた黒表示部Ｒ１の輝度よりは少し高いが白表示部Ｒ２の中央の輝度よりは十分に低い輝度になる。このように、表示パネルの構造や駆動方式を変化させた場合にも、前述した白表示部Ｒ２の周辺部Ｒ３の輝度が高くなるという現象が確認される。
【００４６】
なお、上述した白表示部Ｒ２の周辺部Ｒ３で生じる焼付き現象に類似した輝度の変化は、表示パネルの構造や駆動波形等によっても異なるが、例えば、図７に示す輝度レベル分布は、例えば、白ウィンドウ固定表示を数分程度行った場合にも生じ、また、図８に示す輝度レベル分布は、例えば、白ウィンドウ固定表示を数十〜数百時間行った場合に生じる傾向がある。また、数分の白ウィンドウ固定表示を行った場合と数十〜数百時間の白ウィンドウ固定表示を行った場合とでは、固定表示の時間が長い方が白表示部Ｒ２の周辺部Ｒ３で輝度が高くなる領域が広くなる傾向がある。なお、上述した輝度が高くなる固定表示の周辺部分（Ｒ３）の範囲は、固定表示部（白表示部）Ｒ２の表示率や表示時間によって変化するが、例えば、表示率が数パーセントで表示時間が数分であれば、輝度が高くなる固定表示の周辺部Ｒ３の範囲は１〜３画素程度となり、また、例えば、固定表示を行う時間が数十〜数百時間になると、輝度が高くなる固定表示の周辺部Ｒ３の範囲は数十画素程度となる。
【００４７】
図９はプラズマディスプレイパネルにおける固定表示部の輝度レベルと明るい周辺部の画素範囲との関係を示す図であり、また、図１０はプラズマディスプレイパネルにおける固定表示部の表示時間と明るい周辺部の画素範囲との関係を示す図であり、具体的に、対角４２インチのＰＤＰ（プラズマディスプレイ装置）における例を示すものである。
【００４８】
図９に示されるように、ＰＤＰにおいて、固定表示部の輝度レベルが大きい程、明るい周辺部の画素範囲も広く（例えば、数十画素）なり、また、図１０に示されるように、固定表示部の表示時間が長い程、明るい周辺部の画素範囲も広く（例えば、数十画素）なる。
【００４９】
すなわち、図９に示すＰＤＰにおける固定表示部の輝度レベルと明るい周辺部の画素範囲との関係、および、図１０に示すＰＤＰにおける固定表示部の表示時間と明るい周辺部の画素範囲との関係は予め分かっているために、固定表示後の明るくなる周辺部の範囲を予め予想することができる。これは、以前に入力されていた表示画像（第１画像）の輝度分布、表示時間に基づいて輝度補償用画像を生成し、入力画像に対してこの輝度補償用画像を重畳して画像表示装置に表示画像（第２画像）を表示し、焼付き（明るい表示領域の周辺領域における広い意味の焼付き現象）を効果的に軽減することができる。
【００５０】
なお、輝度補償用画像としては、様々なものを適用することができ、以前に入力された表示画像の明るい部分とその周辺部分を暗くした画像、或いは、以前に入力された表示画像の明るい部分の周辺部分を暗くした画像等を適用して画像表示装置に表示画像（第２画像）を表示することができる。
【実施例】
【００５１】
以下、本発明に係る画像表示装置およびその駆動方法の各実施例を添付図面を参照して詳述する。
【００５２】
図１１は本発明に係る画像表示装置の駆動方法により白ウィンドウ固定表示に対して生成される焼付き防止用画像の第１の例を示す図である。
【００５３】
図１１に示されるように、表示パネル１０に固定画像（白表示部Ｒ２：第１画像）を長時間表示した白ウィンドウ固定表示に対する焼付き防止用画像の第１の例は、白表示部Ｒ２および黒表示部Ｒ１に対してはそのままの輝度の画像（輝度：±０）を表示し、周辺部Ｒ３に対しては輝度を下げた画像（例えば、輝度を−１した画像）を表示するようになっている。すなわち、図５に示すような白表示部Ｒ２の白ウィンドウ固定画像（第１画像）を長時間表示した後、周辺部Ｒ３に対する輝度補正を行った画像（第２画像）を表示するようになっている。
【００５４】
図１２は本発明に係る画像表示装置の駆動方法により白ウィンドウ固定表示に対して生成される焼付き防止用画像の第２の例を示す図である。
【００５５】
図１２と図１１との比較から明らかなように、図１２に示す焼付き防止用画像の第２の例では、黒表示部Ｒ１に対してはそのままの輝度の画像（輝度：±０）を表示し、白表示部Ｒ２および周辺部Ｒ３に対しては輝度を下げた画像（例えば、輝度を−１した画像）を表示するようになっている。すなわち、図５に示すような長時間の白ウィンドウ固定表示を行った後、白表示部Ｒ２および周辺部Ｒ３に対する輝度補正を行った画像を表示するようになっている。
【００５６】
このように、例えば、長時間の白ウィンドウの固定表示を行った後は、図７或いは図８を参照して説明したように、固定表示されていた白表示部Ｒ２の周辺部Ｒ３が最も明るくなり、次いで固定表示されていた白表示部Ｒ２が明るくなるため、周辺部Ｒ３だけに対して、或いは、白表示部Ｒ２および周辺部Ｒ３の両方に対して輝度補正を行った画像を表示するようになっている。これにより、表示パネルの焼付きを有効に除くことができる。
【００５７】
図１３は本発明に係る画像表示装置の駆動方法により白ウィンドウ固定表示に対して生成される焼付き防止用画像の第３の例を示す図であり、また、図１４は本発明に係る画像表示装置の駆動方法により白ウィンドウ固定表示に対して生成される焼付き防止用画像の第４の例を示す図である。
【００５８】
図１３と図１１との比較から明らかなように、図１３に示す焼付き防止用画像の第３の例では、周辺部Ｒ３に対してはそのままの輝度の画像（輝度：±０）を表示し、黒表示部Ｒ１および白表示部Ｒ２に対しては輝度を上げた画像（例えば、輝度を＋１した画像）を表示するようになっている。これにより、図１１と同様の効果を得ることができる。
【００５９】
さらに、図１４と図１２との比較から明らかなように、図１３に示す焼付き防止用画像の第４の例では、白表示部Ｒ２および周辺部Ｒ３に対してはそのままの輝度の画像（輝度：±０）を表示し、黒表示部Ｒ１に対しては輝度を上げた画像（例えば、輝度を＋１した画像）を表示するようになっている。これにより、図１２と同様の効果を得ることができる。
【００６０】
上述した図１３および１４に示す焼付き防止用画像の第３および第４の例は、例えば、固定表示の後に表示される画像が、全黒表示等の輝度の減算ができない画像の場合に有効である。
【００６１】
以上において、長時間表示した固定画像（第１画像）の後に表示される画像（第２画像）は、例えば、その固定画像とその次の画像を比較判別した結果に基づいて、或いは、固定画像の輝度分布や表示時間に基づいて表示を行うことができる。また、画像表示装置に表示された画像を積算して、前述したような固定画像（第１画像）に対する画像（第２画像）の表示を行うこともできる。
【００６２】
さらに、所定の時間且つ所定の明るさで固定表示された部分を検出して第２画像の表示を行うこともできる。ここで、画像表示装置に対する第２画像の表示を、検出された所定の時間且つ所定の明るさで固定表示された部分が暗い明るさの画像を表示するタイミングで表示するのが好ましい。また、第２画像を所定の時間幅（例えば、１秒間隔）で表示したり、或いは、第２画像の表示をユーザが外部から操作できるようにすることも可能である。
【００６３】
図１５は本発明に係る画像表示装置の駆動方法により白ウィンドウ固定表示に対して生成される焼付き防止用画像の第５の例を示す図であり、また、図１６は本発明に係る画像表示装置の駆動方法により白ウィンドウ固定表示に対して生成される焼付き防止用画像の第６の例を示す図であり、そして、図１７は図１５および図１６に示す焼付き防止用画像における輝度パターンＮの一例を示す図である。
【００６４】
図１５に示されるように、表示パネル１０に固定画像（白表示部Ｒ２）を長時間表示した白ウィンドウ固定表示に対する焼付き防止用画像の第５の例は、白表示部Ｒ２および黒表示部Ｒ１に対してはそのままの画像（輝度：±０）を表示し、周辺部Ｒ３に対してはパターンＮの輝度を重畳した画像を表示するようになっている。すなわち、周辺部Ｒ３に対して輝度パターンＮに応じた輝度補正を行った画像を表示するようになっている。
【００６５】
さらに、図１６示されるように、焼付き防止用画像の第６の例では、白表示部Ｒ２および周辺部Ｒ３に対してパターンＮの輝度を重畳した画像を表示するようになっている。すなわち、白表示部Ｒ２および周辺部Ｒ３に対して輝度パターンＮに応じた輝度補正を行った画像を表示するようになっている。
【００６６】
図１７に示されるように、輝度パターンＮは、例えば、輝度がそのまま（±０）の部分と輝度を−１した部分が交互になっている市松模様のパターンとされ、該市松模様のパターンＮ１とその反転パターン（パターンＮ１において、輝度が±０の部分の輝度を−１とし、輝度が−１の部分の輝度を±０としたパターン）Ｎ２を交互に繰り返し、周辺部Ｒ３、或いは、白表示部Ｒ２および周辺部Ｒ３に重畳して画像表示を行うようになっている。
【００６７】
ここで、図１７に示す周辺部Ｒ３、或いは、白表示部Ｒ２および周辺部Ｒ３に重畳する輝度パターンＮ１およびＮ２は、例えば、１フィールド毎に入れ替えて画像表示を行ってもよいが、時間をカウントして一定時間毎に入れ替えてもよい。また、輝度パターンＮ（Ｎ１，Ｎ２）は、輝度が±０の部分と輝度が−１の部分とが１画素毎に変化する市松模様のパターンでもよいが、輝度が±０の部分と輝度が−１の部分とが複数画素のブロック毎（例えば、２×２画素、或いは、３×３画素のブロック毎）に変化する市松模様のパターンとすることもできる。なお、図１７では、輝度パターンＮの一例として市松模様を挙げているが、市松模様以外のパターンであってもよく、さらに、様々なパターンの組み合わせとすることも可能である。
【００６８】
また、図１７のような市松模様のパターンの場合、輝度がそのまま（±０）の部分は、入力信号をそのまま出力するだけの処理であるため記憶部に記憶する必要はなく、輝度を−１するパターン配列だけを記憶すればよい。さらに、図１７においては、パターンＮ１とパターンＮ２は反転の関係となるため、一方のパターンのみを記憶して、非反転・反転を交互に選択するだけで済むことになる。
【００６９】
図１８は本発明に係る画像表示装置の駆動方法により白ウィンドウ固定表示に対して生成される焼付き防止用画像の第７の例を示す図であり、また、図１９は本発明に係る画像表示装置の駆動方法により白ウィンドウ固定表示に対して生成される焼付き防止用画像の第８の例を示す図であり、そして、図２０は図１８および図１９に示す焼付き防止用画像における輝度パターンＰの一例を示す図である。
【００７０】
図１８に示されるように、表示パネル１０に固定画像（白表示部Ｒ２）を長時間表示した白ウィンドウ固定表示に対する焼付き防止用画像の第７の例は、周辺部Ｒ３に対してはそのままの画像（輝度：±０）を表示し、白表示部Ｒ２および黒表示部Ｒ１に対しては輝度パターンＰに応じた輝度補正を行った画像を表示するようになっている。
【００７１】
さらに、図１９示されるように、焼付き防止用画像の第８の例では、白表示部Ｒ２および周辺部Ｒ３に対してはそのままの画像（輝度：±０）を表示し、黒表示部Ｒ１に対しては輝度パターンＰに応じた輝度補正を行った画像を表示するようになっている。
【００７２】
図２０に示されるように、輝度パターンＰは、前述した図１７に示す輝度パターンＮにおいて輝度を−１した部分を＋１したものであり、例えば、輝度がそのまま（±０）の部分と輝度を＋１した部分が交互になっている市松模様のパターンとされ、該市松模様のパターンＰ１とその反転パターンＰ２を交互に繰り返し、白表示部Ｒ２および黒表示部Ｒ１、或いは、黒表示部Ｒ１に重畳して画像表示を行うようになっている。
【００７３】
ここで、図２０に示す白表示部Ｒ２および黒表示部Ｒ１、或いは、黒表示部Ｒ１に重畳する輝度パターンＰ１およびＰ２は、例えば、１フィールド毎に入れ替えて画像表示を行ってもよいが、時間をカウントして一定時間毎に入れ替えてもよい。また、輝度パターンＰ（Ｐ１，Ｐ２）は、輝度が±０の部分と輝度が＋１の部分とが１画素毎に変化する市松模様のパターンでもよいが、輝度が±０の部分と輝度が＋１の部分とが複数画素のブロック毎に変化する市松模様のパターンとすることもでき、市松模様以外のパターン、或いは、様々なパターンの組み合わせとすることも可能である。なお、輝度パターンＰに関しても、輝度を＋１するパターン配列だけを記憶すればよく、また、一方のパターンのみを記憶して非反転・反転を交互に選択するといった処理だけで済むのは、前述した輝度パターンＮと同様である。
【００７４】
以下、本発明に係る画像表示装置の各実施例を説明する。
【００７５】
図２１は本発明に係る画像表示装置におけるデータフローの第１の例を示すブロック図である。図２１において、参照符号５００は画像表示装置（図４における１００に対応）、５０１は表示部（図４におけるＰＤＰ１０、制御回路３１、Ｘ側ドライバ３２、Ｙ側ドライバ３３およびアドレス側ドライバ３４に対応）、５０２は映像信号入力部、５０３は映像信号出力制御部、５０４は信号処理制御部、５０５は画像処理部、５０６は第２画像生成部、５０７は補正演算部、そして、５０８は映像信号記憶部を示している。なお、映像信号入力部５０２、映像信号出力制御部５０３、信号処理制御部５０４、画像処理部５０５、第２画像生成部５０６、補正演算部５０７および映像信号記憶部５０８は、図４における制御回路３１に対応する。さらに、後述する画像表示装置におけるデータフローの各例における比較判別部５０９、輝度分布判定部５１０、表示時間判定部５１１、映像信号積算部５１２、記録保持部５１３、焼付き検出回路５１４、タイマー５１５、外部切替えスイッチ５１６および画像パターン記憶部５１７も、図４における制御回路３１に対応する。
【００７６】
映像信号入力部５０２は、外部からの映像信号を受け取って映像信号を映像信号出力制御部５０３、信号処理制御部５０４および画像処理部５０５に供給する。信号処理制御部５０４は、例えば、外部からのクロック信号や水平および垂直同期信号等を受け取って種々の信号処理を行い、画像処理部５０５および映像信号出力制御部５０３を介して表示画像を表示部５０１に表示させる。なお、映像信号出力制御部５０３は、表示する画像の信号を表示部５０１の各ドライバ（図４におけるＸ側ドライバ３２、Ｙ側ドライバ３３およびアドレス側ドライバ３４）に対応した信号に変換して出力するものである。
【００７７】
映像信号記憶部５０８は、例えば、以前に表示された固定画像（第１画像）の映像信号を記憶し、また、補正演算部５０７は、例えば、固定画像における明るい表示領域の周辺領域、或いは、明るい表示領域およびその周辺領域を検出して補正を行う領域を演算し、そして、第２画像生成部５０６は、検出された領域に対する輝度補正を行って表示部５０１に表示する画像（第２画像）を生成する。なお、第２画像生成部５０６で生成される第２画像は、例えば、後に表示する画像において、以前に表示された固定画像（第１画像）の明るい表示領域の周辺領域に対応する部分の輝度を低減するといった処理が行われた画像である。この第２画像の例に関しては、前に、図１１〜図１４を参照して説明した通りである。
【００７８】
図２２は本発明に係る画像表示装置におけるデータフローの第２の例を示すブロック図である。図２２に示す第２の例は、図２１に対してさらに比較判別部５０９を備えている。
【００７９】
比較判別部５０９は、映像信号記憶部５０８に記憶されている映像信号の以前に表示された固定画像（第１画像）と、信号処理制御部５０４からの後に入力される映像信号に応じて表示される画像とを比較判別する。この比較判別部５０９の比較結果に応じて、例えば、表示部５０１に対する第２画像を、固定表示された部分が暗い明るさの画像を表示するタイミングで表示するように制御することが可能になり、より一層効果的な焼付きの防止が可能になる。
【００８０】
図２３は本発明に係る画像表示装置におけるデータフローの第３の例を示すブロック図である。図２３に示す第３の例は、図２２に対してさらに輝度分布判定部５１０を備えている。
【００８１】
輝度分布判定部５１０は、映像信号記憶部５０８に記憶されている映像信号の以前に表示された固定画像（第１画像）の輝度分布を判定するもので、第２画像は、この第１画像の輝度分布に基づいて生成されるようになっている。これにより、焼付きの防止処理を効果的に行うことが可能になる。
【００８２】
図２４は本発明に係る画像表示装置におけるデータフローの第４の例を示すブロック図である。図２４に示す第４の例は、図２２に対してさらに表示時間判定部５１１を備えている。
【００８３】
表示時間判定部５１１は、映像信号記憶部５０８に記憶されている以前に表示された固定画像（第１画像）の映像信号から第１画像の表示時間を判定するもので、第２画像は、第１画像の表示時間に基づいて輝度補正が行われて生成されるようになっている。このように、固定画像の表示時間を判定して第２画像の生成を行うことで、より一層効果的な焼付きの防止を行うことが可能になる。
【００８４】
図２５は本発明に係る画像表示装置におけるデータフローの第５の例を示すブロック図である。図２５に示す第５の例は、図２２に対してさらに映像信号積算部５１２および記録保持部５１３を備えている。
【００８５】
映像信号積算部５１２は、映像信号記憶部５０８に記憶されている映像信号から表示部５０１に表示された画像を積算し、また、記録保持部５１３は、映像信号積算部５１２で積算された積算映像信号を記録保持する。ここで、映像信号積算部５１２は、例えば、表示部（表示パネル）５０１の各絵素（画素を構成しているＲ，Ｇ，Ｂ３つのサブピクセル）毎の総点灯時間を積算する。そして、第２画像は、記録保持部５１３に保持された積算映像信号を用いて生成されるようになっている。このように、積算された積算映像信号を用いて第２画像の生成を行うことにより、より精密な画像処理が可能となり、焼付きの防止を一層効果的に行ってパネルの長寿命化を図ることが可能になる。
【００８６】
図２６は本発明に係る画像表示装置におけるデータフローの第６の例を示すブロック図である。図２６に示す第６の例は、図２５に対してさらに焼付き検出回路５１４を備えている。
【００８７】
焼付き検出回路５１４は、表示部５０１の表示画面において、所定の時間且つ所定の明るさで固定表示された部分を検出するもので、第２画像は、この焼付き検出回路５１４の出力を用いて生成されることになる。ここで、焼付き検出回路５１４による固定表示部分の検出は、例えば、図９および図１０に示されるような特性を考慮して焼付き検出回路５１４自体に予めＬＵＴ（ルックアップテーブル）として設けておき、このＬＵＴとの比較を行って検出するようにしてもよい。なお、焼付き検出回路５１４により検出された所定の時間且つ所定の明るさで固定表示された部分は、暗い明るさの画像を表示するタイミングで表示されるようにするのが好ましい。
【００８８】
このように、焼付き検出回路により所定の時間且つ所定の明るさで固定表示された部分を検出して第２画像の生成を行うことにより、焼付きの生じる個所（所定の時間且つ所定の明るさで固定表示された部分の周辺部を含む広い意味での焼付き部分）を特定してより効果的な焼付き防止を行うことが可能になる。
【００８９】
図２７は本発明に係る画像表示装置におけるデータフローの第７の例を示すブロック図である。図２７に示す第７の例は、図２６に対してさらにタイマー５１５を備えている。
【００９０】
タイマー５１５は、第２画像を表示する時間幅を制御するためのものであり、例えば、１秒間に１回の割合（すなわち、１秒間の６０フィールドにおける１フィールド）で第２画像の表示を行わせるために使用される。このように、例えば、輝度補正された第２画像を１秒間或いは数秒間に１回程度の割合で表示してもユーザに違和感を与えることはなく、有効に焼付きを防止することが可能になる。
【００９１】
図２８は本発明に係る画像表示装置におけるデータフローの第８の例を示すブロック図である。図２８に示す第８の例は、図２７に対してさらに外部切替えスイッチ５１６を備えている。
【００９２】
外部切替えスイッチ５１６は、第２画像の表示をユーザが外部から操作するためのものであり、ユーザは、必要に応じて外部切替えスイッチ５１６を介して第２画像の表示を強制的に行わせることができるようになっている。
【００９３】
図２９は本発明に係る画像表示装置におけるデータフローの第９の例を示すブロック図である。図２９に示す第９の例は、図２８に対してさらに画像パターン記憶部５１７を備えている。
【００９４】
画像パターン記憶部５１７は、予め設定された少なくとも１つの画像パターンを記憶するもので、例えば、図１７を参照して説明したような市松模様パターン等を記憶するものである。そして、第２画像は、輝度補正を行う領域に対して画像パターン記憶部５１７に記憶された画像パターンとの重畳が行われて生成されることになる。なお、画像パターン記憶部５１７に予め記憶しておく画像パターンとしては、市松模様パターンの他に様々なものがあるのは前述した通りである。
【００９５】
以上において、図２１〜図２９では、主として新たなブロックを順に追加するようにして説明したが、必ずしもそれ以前の図面で追加されたブロックが前提となるものではなく、例えば、図２８の第８の例で追加した外部切替えスイッチ５１６は、図２１に対して直接設けることができるのはいうまでもない。また、以上の説明では、本発明に係る画像表示装置としてプラズマディスプレイ装置を説明したが、本発明の適用はプラズマディスプレイ装置に限定されるものではない。
【００９６】
（付記１）  以前に入力された映像信号に応じて画像表示装置に表示した第１画像を記憶する第１画像記憶段階と、
前記第１画像における明るい表示領域の周辺領域を検出する領域検出段階と、
前記検出された領域に対する輝度補正を行って前記画像表示装置に第２画像を表示する第２画像表示段階と、を備えることを特徴とする画像表示装置の駆動方法。
【００９７】
（付記２）  付記１に記載の画像表示装置の駆動方法において、前記第２画像は、前記第１画像における明るい表示領域の周辺領域の輝度が暗くなっていることを特徴とする画像表示装置の駆動方法。
【００９８】
（付記３）  付記１に記載の画像表示装置の駆動方法において、前記第２画像は、前記第１画像における明るい表示領域の周辺領域を除く領域の輝度が明るくなっていることを特徴とする画像表示装置の駆動方法。
【００９９】
（付記４）  付記１に記載の画像表示装置の駆動方法において、前記第２画像は、前記第１画像における明るい表示領域の周辺領域が所定の輝度パターンになっていることを特徴とする画像表示装置の駆動方法。
【０１００】
（付記５）  付記１に記載の画像表示装置の駆動方法において、
前記領域検出段階は、前記明るい表示領域の周辺部と共に当該明るい表示領域も検出し、且つ、
前記第２画像表示段階は、前記明るい表示領域の周辺部と共に当該明るい表示領域に対しても輝度補正を行って前記画像表示装置に前記第２画像を表示することを特徴とする画像表示装置の駆動方法。
【０１０１】
（付記６）  付記５に記載の画像表示装置の駆動方法において、前記第２画像は、前記第１画像における明るい表示領域および該明るい表示領域の周辺領域の輝度が暗くなっていることを特徴とする画像表示装置の駆動方法。
【０１０２】
（付記７）  付記５に記載の画像表示装置の駆動方法において、前記第２画像は、前記第１画像における明るい表示領域および該明るい表示領域の周辺領域を除く領域の輝度が明るくなっていることを特徴とする画像表示装置の駆動方法。
【０１０３】
（付記８）  付記５に記載の画像表示装置の駆動方法において、前記第２画像は、前記第１画像における明るい表示領域および該明るい表示領域の周辺領域が所定の輝度パターンになっていることを特徴とする画像表示装置の駆動方法。
【０１０４】
（付記９）  付記１項に記載の画像表示装置の駆動方法において、前記第２画像表示段階は、前記輝度補正を行う領域に対して、予め設定された少なくとも１つの画像パターンと重畳して前記第２画像の表示を行うことを特徴とする画像表示装置の駆動方法。
【０１０５】
（付記１０）  付記１に記載の画像表示装置の駆動方法において、前記第２画像表示段階は、さらに、前記以前に入力された映像信号に応じて表示した第１画像と、後に入力される映像信号に応じて表示される画像とを比較判別して前記第２画像の表示を行うことを特徴とする画像表示装置の駆動方法。
【０１０６】
（付記１１）  付記１に記載の画像表示装置の駆動方法において、前記第２画像表示段階は、前記第１画像の輝度分布に基づいて前記第２画像の表示を行うことを特徴とする画像表示装置の駆動方法。
【０１０７】
（付記１２）  付記１に記載の画像表示装置の駆動方法において、前記第２画像表示段階は、前記第１画像の表示時間に基づいて前記第２画像の表示を行うことを特徴とする画像表示装置の駆動方法。
【０１０８】
（付記１３）  付記１に記載の画像表示装置の駆動方法において、さらに、
前記画像表示装置に表示された画像を積算する映像信号積算段階と、
該積算された積算映像信号を記録保持する記録保持段階と、を備え、前記第２画像表示段階は、前記記録された積算映像信号を用いて前記第２画像の表示を行うことを特徴とする画像表示装置の駆動方法。
【０１０９】
（付記１４）  付記１に記載の画像表示装置の駆動方法において、さらに、
前記画像表示装置の画面において、所定の時間且つ所定の明るさで固定表示された部分を検出する焼付き検出段階を備え、前記第２画像表示段階は、前記検出された所定の時間且つ所定の明るさで固定表示された部分の情報を用いて前記第２画像の表示を行うことを特徴とする画像表示装置の駆動方法。
【０１１０】
（付記１５）  付記１４に記載の画像表示装置の駆動方法において、前記第２画像表示段階は、前記検出された所定の時間且つ所定の明るさで固定表示された部分が、暗い明るさの画像を表示するタイミングで前記第２画像の表示を行うことを特徴とする画像表示装置の駆動方法。
【０１１１】
（付記１６）  付記１に記載の画像表示装置の駆動方法において、前記第２画像表示段階は、所定の時間幅で前記第２画像の表示を行うことを特徴とする画像表示装置の駆動方法。
【０１１２】
（付記１７）  付記１に記載の画像表示装置の駆動方法において、前記第２画像表示段階は、外部からの操作に従って前記第２画像の表示を行うことを特徴とする画像表示装置の駆動方法。
【０１１３】
（付記１８）  付記１〜１７のいずれか１項に記載の画像表示装置の駆動方法において、前記画像表示装置は、プラズマディスプレイ装置であることを特徴とする画像表示装置の駆動方法。
【０１１４】
（付記１９）  以前に表示された第１画像の映像信号を記憶する映像信号記憶部と、
前記第１画像における明るい表示領域の周辺領域を検出する領域検出部と、
前記検出された領域に対する輝度補正を行って前記画像表示装置に表示する第２画像を生成する第２画像生成部と、を備えることを特徴とする画像表示装置。
【０１１５】
（付記２０）  付記１９に記載の画像表示装置において、
前記領域検出部は、前記明るい表示領域の周辺部と共に当該明るい表示領域も検出し、且つ、
前記第２画像生成部は、前記明るい表示領域の周辺部と共に当該明るい表示領域に対しても輝度補正を行って前記第２画像を生成することを特徴とする画像表示装置。
【０１１６】
（付記２１）  付記１９に記載の画像表示装置において、さらに、予め設定された少なくとも１つの画像パターンを記憶する画像パターン記憶部を備え、前記第２画像生成部は、前記輝度補正を行う領域に対して、前記画像パターン記憶部に記憶された画像パターンとの重畳を行って前記第２画像を生成することを特徴とする画像表示装置。
【０１１７】
（付記２２）  付記１９に記載の画像表示装置において、さらに、前記第２画像を表示する時間幅を制御するためのタイマーを備えることを特徴とする画像表示装置。
【０１１８】
（付記２３）  付記１９に記載の画像表示装置において、さらに、前記第２画像を表示する時間幅を外部から制御するためのスイッチを備えることを特徴とする画像表示装置。
【０１１９】
（付記２４）  付記１９〜２３のいずれか１項に記載の画像表示装置において、該画像表示装置は、プラズマディスプレイ装置であることを特徴とする画像表示装置。
【産業上の利用可能性】
【０１２０】
本発明は、プラズマディスプレイ装置を初めとする画像表示装置に幅広く適用することができ、例えば、パーソナルコンピュータやワークステーション等のディスプレイ装置、平面型の壁掛けテレビジョン、或いは、広告や情報等を表示するための装置として利用される画像表示装置に対して適用することができる。
【図面の簡単な説明】
【０１２１】
【図１】プラズマディスプレイパネルの一例を模式的に示す図である。
【図２】プラズマディスプレイ装置における階調駆動シーケンスの一例を示す図である。
【図３】従来のプラズマディスプレイ装置の駆動方法を説明するための図である。
【図４】プラズマディスプレイ装置の一例の全体構成を概略的に示すブロック図である。
【図５】プラズマディスプレイパネルにおける白ウィンドウ固定表示の点灯状態を示す図である。
【図６】図５に示す白ウィンドウ固定表示を行った後のプラズマディスプレイパネルにおける黒表示の点灯状態を示す図である。
【図７】図６に示すプラズマディスプレイパネルのＡ−Ａ’線で切断した輝度レベル分布の一例を示す図である。
【図８】図６に示すプラズマディスプレイパネルのＡ−Ａ’線で切断した輝度レベル分布の他の例を示す図である。
【図９】プラズマディスプレイパネルにおける固定表示部の輝度レベルと明るい周辺部の画素範囲との関係を示す図である。
【図１０】プラズマディスプレイパネルにおける固定表示部の表示時間と明るい周辺部の画素範囲との関係を示す図である。
【図１１】本発明に係る画像表示装置の駆動方法により白ウィンドウ固定表示に対して生成される焼付き防止用画像の第１の例を示す図である。
【図１２】本発明に係る画像表示装置の駆動方法により白ウィンドウ固定表示に対して生成される焼付き防止用画像の第２の例を示す図である。
【図１３】本発明に係る画像表示装置の駆動方法により白ウィンドウ固定表示に対して生成される焼付き防止用画像の第３の例を示す図である。
【図１４】本発明に係る画像表示装置の駆動方法により白ウィンドウ固定表示に対して生成される焼付き防止用画像の第４の例を示す図である。
【図１５】本発明に係る画像表示装置の駆動方法により白ウィンドウ固定表示に対して生成される焼付き防止用画像の第５の例を示す図である。
【図１６】本発明に係る画像表示装置の駆動方法により白ウィンドウ固定表示に対して生成される焼付き防止用画像の第６の例を示す図である。
【図１７】図１５および図１６に示す焼付き防止用画像におけるパターンＮの一例を示す図である。
【図１８】本発明に係る画像表示装置の駆動方法により白ウィンドウ固定表示に対して生成される焼付き防止用画像の第７の例を示す図である。
【図１９】本発明に係る画像表示装置の駆動方法により白ウィンドウ固定表示に対して生成される焼付き防止用画像の第８の例を示す図である。
【図２０】図１８および図１９に示す焼付き防止用画像におけるパターンＰの一例を示す図である。
【図２１】本発明に係る画像表示装置におけるデータフローの第１の例を示すブロック図である。
【図２２】本発明に係る画像表示装置におけるデータフローの第２の例を示すブロック図である。
【図２３】本発明に係る画像表示装置におけるデータフローの第３の例を示すブロック図である。
【図２４】本発明に係る画像表示装置におけるデータフローの第４の例を示すブロック図である。
【図２５】本発明に係る画像表示装置におけるデータフローの第５の例を示すブロック図である。
【図２６】本発明に係る画像表示装置におけるデータフローの第６の例を示すブロック図である。
【図２７】本発明に係る画像表示装置におけるデータフローの第７の例を示すブロック図である。
【図２８】本発明に係る画像表示装置におけるデータフローの第８の例を示すブロック図である。
【図２９】本発明に係る画像表示装置におけるデータフローの第９の例を示すブロック図である。
【符号の説明】
【０１２２】
１０…ＰＤＰ（プラズマディスプレイパネル）
１１…前面側の基板
１２…Ｘ電極用の透明電極
１３…Ｘ電極用のバス電極
１４…Ｙ電極用の透明電極
１５…Ｙ電極用のバス電極
１６…背面側の基板
１７…アドレス電極
１８…隔壁（リブ）
１９Ｒ，１９Ｇ，１９Ｂ…蛍光体層
３１…制御回路
３２…Ｘ側ドライバ
３３…Ｙ側ドライバ
３４…アドレスドライバ
１００…プラズマディスプレイ装置
３２０…Ｘ側ドライバの共通ドライバ
３３１…スキャンドライバ
３３２…Ｙ側ドライバの共通ドライバ
５００…画像表示装置
５０１…表示部
５０２…映像信号入力部
５０３…映像信号出力制御部
５０４…信号処理制御部
５０５…画像処理部
５０６…第２画像生成部
５０７…補正演算部
５０８…映像信号記憶部
５０９…比較判別部
５１０…輝度分布判定部
５１１…表示時間判定部
５１２…映像信号積算部
５１３…記録保持部
５１４…焼付き検出回路
５１５…タイマー
５１６…外部切替えスイッチ
５１７…画像パターン記憶部
Ｒ１…黒表示部（黒表示領域）
Ｒ２…白表示部（白表示領域）
Ｒ３…白表示部の周辺部（白表示領域の周辺領域）
Ｒ４…白表示部のエッジ部（白表示領域のエッジ領域）
【図１】
2005164939.tif 000003
【図２】
2005164939.tif 000004
【図３】
2005164939.tif 000005
【図４】
2005164939.tif 000006
【図５】
2005164939.tif 000007
【図６】
2005164939.tif 000008
【図７】
2005164939.tif 000009
【図８】
2005164939.tif 000010
【図９】
2005164939.tif 000011
【図１０】
2005164939.tif 000012
【図１１】
2005164939.tif 000013
【図１２】
2005164939.tif 000014
【図１３】
2005164939.tif 000015
【図１４】
2005164939.tif 000016
【図１５】
2005164939.tif 000017
【図１６】
2005164939.tif 000018
【図１７】
2005164939.tif 000019
【図１８】
2005164939.tif 000020
【図１９】
2005164939.tif 000021
【図２０】
2005164939.tif 000022
【図２１】
2005164939.tif 000023
【図２２】
2005164939.tif 000024
【図２３】
2005164939.tif 000025
【図２４】
2005164939.tif 000026
【図２５】
2005164939.tif 000027
【図２６】
2005164939.tif 000028
【図２７】
2005164939.tif 000029
【図２８】
2005164939.tif 000030
【図２９】
2005164939.tif 000031